(57)【要約】【課題】先端部に設けた複数のニードル片をスムーズに開閉する。【解決手段】中空の筒状に形成され内部にシャフト１３を軸方向に移動可能に支持する筒状部１１と、筒状部１１の先端部からさらに先端側に向かって徐々に径方向寸法が小さくなるように延びる中空の針状の部分であって先端側から基端側に向かって軸方向に延びるスリット１２１によって複数のニードル片１２２に分割されているニードル部１２とを備え、シャフト１３が筒状部１１を先端側に移動してニードル片１２２の内面に当接し、さらに当該シャフト１３がニードル片１２２の内面を摺動しながら先端側に移動することによって、ニードル片１２２が径方向外側に撓むように構成された植毛用針部材１０は、スリット１２１が、筒状部１１を先端側に移動するシャフト１３がニードル片１２２の内面に当接する当接点Ｐ２よりも基端側に深く形成されている。【選択図】図１
2013179951.tif 000002
【特許請求の範囲】
【請求項１】
中空の筒状に形成され、その内部にシャフト（１３，５２，３３）を軸方向に移動可能に支持する筒状部（１１）と、
前記筒状部の先端部からさらに先端側に向かって徐々に径方向寸法が小さくなるように延びる中空の針状の部分であって、先端側から基端側に向かって軸方向に延びるスリット（１２１，２２１，３２１）によって複数のニードル片（１２２，２２２，３２２）に分割されているニードル部（１２，２２，３２）と、
を備え、前記シャフトが前記筒状部を先端側に移動して前記ニードル片の内面に当接し、さらに当該シャフトが前記ニードル片の内面を摺動しながら先端側に移動することによって、前記ニードル片が径方向外側に撓むように構成された植毛用針部材（１０，２０，３０）であって、
前記スリットは、前記筒状部を先端側に移動する前記シャフトが前記ニードル片の内面に当接する当接点よりも基端側に深く形成さている植毛用針部材。
【請求項２】
前記スリットは、その開口幅が基端側から先端側に向かって徐々に狭くなるように形成されている請求項１に記載の植毛用針部材。
【請求項３】
前記スリットは、複数の前記ニードル片が先端側の一部において相互に接触するように形成されている請求項１または２に記載の植毛用針部材。
【請求項４】
複数の前記ニードル片（２２２）は、その先端部を除く中間部分において相互に接触している請求項３に記載の植毛用針部材。
【請求項５】
複数の前記ニードル片（２２２）が相互に接触する部分は、軸方向に所定距離を有している請求項３または４に記載の植毛用針部材。
【発明の詳細な説明】
【技術分野】
【０００１】
本発明は、植毛用針部材に関する。
【背景技術】
【０００２】
従来より、例えば毛根の移植手術においては、中空の針部材を使用して毛根を含む植皮片を採取し、その採取した植皮片を頭皮などの移植部位に移植するようにしている（例えば、特許文献１参照）。
【先行技術文献】
【特許文献】
【０００３】
【特許文献１】特許第３０３５６６８号公報
【発明の概要】
【発明が解決しようとする課題】
【０００４】
この種の植毛用の針部材においては、近年では、先端部に可撓性を有する複数のニードル片を設け、これら複数のニードル片によって植皮片を保持する構成のものが考えられている。ところが、このような構成においては、ニードル片の開閉をスムーズに行えるように構成しなければ、部材が破損したり、ニードル片によって植皮片を傷付けてしまったり、切断したりしてしまうなどの不具合が生じる。
本発明は上記した事情に鑑みてなされたものであり、その目的は、先端部に設けた複数のニードル片をスムーズに開閉することができる植毛用針部材を提供することにある。
【課題を解決するための手段】
【０００５】
本発明によれば、植毛用針部材は、中空の筒状に形成され、その内部にシャフトを軸方向に移動可能に支持する筒状部と、この筒状部の先端部からさらに先端側に向かって徐々に径方向寸法が小さくなるように延びる中空の針状の部分であって、先端側から基端側に向かって軸方向に延びるスリットによって複数のニードル片に分割されているニードル部と、を備えており、シャフトが筒状部を先端側に移動してニードル片の内面に当接し、さらに当該シャフトがニードル片の内面を摺動しながら先端側に移動することによって、ニードル片が径方向外側に撓む構成である。そして、この構成の植毛用針部材において、スリットは、筒状部を先端側に移動するシャフトがニードル片の内面に当接する当接点よりも基端側に深く形成されている。
これにより、スリットの基端部分を支点とし、且つ、シャフトとニードル片との当接点を力点とした態様にてニードル片が開くようになり、比較的小さな力でシャフトを先端側に移動させることで、閉状態のニードル片をスムーズに開くことができる。
【図面の簡単な説明】
【０００６】
【図１】第１実施形態に係る植毛用針部材の縦断側面図
【図２】植毛用針部材の製造方法を示すフローチャート
【図３】植毛用針部材の製造方法を視覚的に説明するための図
【図４】植毛用器具の縦断側面図
【図５】植毛用器具を用いて植皮片を採取および移植する場合の動作を説明するための図
【図６】第２実施形態に係る図１相当図
【図７】図３相当図
【図８】第３実施形態に係る図１相当図
【発明を実施するための形態】
【０００７】
（第１実施形態）
以下、本発明の第１実施形態について図１から図５を参照しながら説明する。図１に示すように、植毛用針部材１０は、例えばステンレスなどの金属材料からなり、直線状の筒状部１１およびテーパ状のニードル部１２を一体的に備える中空筒状の針状の部材である。
筒状部１１は、中空の筒状に形成され、その内径が、直線状に延びるシャフト１３の外径よりも僅かに大きくなっている。これにより、筒状部１１の内部に、シャフト１３が軸方向に移動可能に支持されるようになっている。換言すれば、この筒状部１１は、その内部の中空部にてシャフト１３を支持しつつ、そのシャフト１３の軸方向における移動、即ち、前進および後退をガイドする機能を有している。
【０００８】
ニードル部１２は、筒状部１１の先端部から先端側に向かって徐々に径方向寸法が小さくなるように延びる中空の針状の部分である。このニードル部１２には、先端側から基端側に向かって軸方向に延びるスリット１２１が形成されており、このスリット１２１によって、ニードル部１２は複数のニードル片１２２に分割されている。このスリット１２１は、その開口幅が基端側から先端側に向かって徐々に狭くなるように形成されており、これにより、基端側の開口幅Ｗ０が最先端部の開口幅Ｗ１よりも小さくなるようになっている。また、スリット１２１の最先端部の開口幅Ｗ１は、この場合、０ｍｍとなるように設定されており、これにより、複数のニードル片１２２が先端側の一部、この場合、最先端部において相互に接触するように構成されている。また、ニードル部１２の先端部の開口幅Ｄ１は、採取対象である生体組織、この場合、毛根を含む植皮片１００の幅Ｗ２よりも小さくなるように設定されている。なお、植皮片１００の幅Ｗ２は、例えば統計的に得られた一般的な植皮片の幅を採用するとよい。
【０００９】
この構成の植毛用針部材１０において、図１（ａ）に示す初期状態からシャフト１３が筒状部１１を先端側に移動すると、図１（ｂ）に示すように、やがて当該シャフト１３の先端部がニードル片１２２の内面に当接する。そして、さらにシャフト１３がニードル片１２２の内面を摺動しながら先端側に移動することによって、図１（ｃ）に示すように、スリット１２１の基端部分を支点Ｐ１とし、且つ、シャフト１３とニードル片１２２との当接点Ｐ２を力点とした態様にて、各ニードル片１２２がそれぞれ径方向外側に撓んで開くようになっている。この場合、スリット１２１は、筒状部１１を先端側に移動するシャフト１３が最初にニードル片１２２の内面に当接する当接点Ｐ２、即ち、図１（ｂ）に示す状態における当接点Ｐ２よりも基端側に深く形成さている。
【００１０】
次に、上記構成の植毛用針部材１０の製造方法について図２および図３を参照しながら説明する。この場合、植毛用針部材１０は、金属材料をその再結晶温度以下の温度（例えば室温）にて圧縮成形する加工方法、いわゆる冷間鍛造加工により製造される。即ち、図２に示すステップＳ１では、図３（ａ）に示す例えばステンレスなどの金属材料からなる中空筒状のパイプ材１０１の先端部、つまり、植毛用針部材１０のニードル部１２となる部分を、図３（ｂ）に示すように、冷間鍛造加工により、先端側に向かって徐々に径方向寸法が小さくなるように、換言すれば、先端側に向かって徐々に細くなるようにテーパ状に加工する。次に、図２に示すステップＳ２では、図３（ｃ）に示すように、パイプ材１０１の先端側から冷間鍛造による未加工部分、つまり、植毛用針部材１０の筒状部１１となる部分の内部にわたる部分に、２つ以上のスリット１０２を先端側から基端側に向かって形成する。この場合、スリット１０２は、いわゆるワイヤ放電加工などにより形成することができる。このようにパイプ材１０１にスリット１０２が形成されると、冷間鍛造加工によりパイプ材１０１の先端側部分に発生している残留応力により、図３（ｄ）に示すように、スリット１０２によって分断された片部、つまり、植毛用針部材１０のニードル片１２２となる部分が径方向内側に閉じるように変形する。これにより、上記した植毛用針部材１０が製造される。
【００１１】
次に、上記した植毛用針部材１０の使用態様の一例について図４を参照しながら説明する。即ち、図４に示す植毛用器具５０は、その本体部分を構成するケース５１の内部に、上記した植毛用針部材１０を軸方向に移動可能に格納している。また、植毛用器具５０は、さらに、シャフト５２、スプリング５３、リターンスプリング５４などを備える。なお、この場合、植毛用針部材１０は、筒状部１１の基端部に径方向外側に突出するフランジ部１１１を有する。
【００１２】
ケース５１は、軸方向に貫通した貫通孔５１１を有しているとともに、その基端側の内部に貫通孔５１１よりも径大な中空室５１２を有している。植毛用器具５０は、筒状部１１およびニードル部１２を貫通孔５１１内にスライド移動可能に挿通し、且つ、フランジ部１１１を中空室５１２内にスライド移動可能に収容した状態で備えられている。また、このケース５１の先端部も、先端側に向かって徐々に径方向寸法が小さくなるテーパ状に形成されており、その最先端部が、移植部分に当接する平坦な当接面５１３となっている。また、ケース５１の側部には、植毛用針部材１０の移植部位への突き刺し深さが所定の最大許容深さに達したときに、フランジ部１１１に係合する係合部５１４が設けられている。この係合部５１４がフランジ部１１１に係合することにより、植毛用針部材１０の基端側への復帰が規制されるようになっている。
【００１３】
シャフト５２は、軸方向に貫通した筒状の部材であり、そのほぼ中央部に第１フランジ部５２１を有するとともに、基端部に第２フランジ部５２２を有している。第１フランジ部５２１は、植毛用針部材１０がケース５１内において最も基端側に引き込まれた初期状態において、ケース５１の基端壁５１５の内面に当接する。第２フランジ部５２２は、シャフト５２が先端側に変位して、植毛用針部材１０の移植部位への突き刺し深さが所定の最大許容深さに達したときに、基端壁５１５の外面に当接する。なお、植毛用針部材１０の最大許容深さは、植皮片１００の大きさなどに応じて適宜変更して設定することができる。
【００１４】
スプリング５３は、植毛用針部材１０の主として筒状部１１の周囲に嵌合した状態で、中空室５１２の先端側の内面とフランジ部１１１との間に取り付けられている。このスプリング５３により、植毛用針部材１０は、ケース５１の基端側に引き込まれる方向、即ち、後退させる方向に力を受けた状態となっている。
リターンスプリング５４は、シャフト５２の周囲に嵌合した状態で、フランジ部１１１と第１フランジ部５２１との間に取り付けられている。このリターンスプリング５４により、シャフト５２は、ケース５１の基端側に引き込まれる方向、即ち、後退させる方向に力を受けた状態となっている。これにより、シャフト５２を前進させるために当該シャフト２に入力される力が消滅すると、シャフト５２がリターンスプリング５４の付勢力によって基端側に向かって押し戻されるようになっている。なお、この場合、リターンスプリング５４は、スプリング５３よりも弱い力で圧縮するスプリングが採用されている。
【００１５】
以上のように構成された植毛用器具５０によれば、初期状態においてシャフト５２に当該シャフト５２を前進させるための力が入力されると、シャフト５２の前進に伴いリターンスプリング５４が圧縮され、この圧縮されたリターンスプリング５４および前進するシャフト５２に押されるような態様にて植毛用針部材１０も前進する。このとき、リターンスプリング５４がスプリング５３よりも弱い力で圧縮することから、植毛用針部材１０の移動量よりもシャフト５２の移動量の方が大きくなり、植毛用針部材１０に対してシャフト５２が相対的に先端側に移動するようになる。これにより、シャフト５２の先端部がニードル片１２２の内面に当接して摺動しながら先端側に移動するようになり、各ニードル片１２２がそれぞれ径方向外側に撓んで開くようになる。そして、植毛用針部材１０は、ニードル部１２の先端部を拡径させながら移植部位に突き刺さり、その移植部位への突き刺し深さが所定の最大許容深さに達すると、その状態で係合部５１４がフランジ部１１１に係合する。これにより、植毛用針部材１０の後退が規制される。そして、シャフト５２に入力されている力が消滅すると、シャフト５２のみがリターンスプリング５４の付勢力により初期状態に復帰する。
【００１６】
なお、シャフト５２の前進に伴いニードル片１２２が所望の軌跡で撓んで開くように、ニードル片１２２のばね係数Ｋ１、スプリング５３のばね係数Ｋ２、および、リターンスプリング５４のばね係数Ｋ３は、次に示す式（１）および式（２）を満たすように設定されている。
Ｋ２＋（Ｋ１＋Ｋ３）／Ｒ＝０・・・・・・（１）
Ｒ＝Ｘ／Ｘｃ・・・・・・・・・・・・・・（２）
なお、「Ｘ」は植毛用針部材１０の変位量、「Ｘｃ」は植毛用針部材１０に対するシャフト５２の相対変位量、「Ｒ」は相対変位量Ｘｃに対する植毛用針部材１０の変位量Ｘの比率である。
【００１７】
次に、上記した構成の植毛用器具５０を用いて、毛根を含む植皮片１００を採取し、その採取した植皮片１００を移植する場合の動作について図５を参照しながら説明する。なお、図５中、（ａ）から（ｄ）に示す行程が採取行程に含まれ、（ｅ）から（ｇ）に示す行程が移植行程に含まれる。
図５（ａ）に示す突き刺し前行程では、ケース５１の当接面５１３を例えば移植対象者の頭皮表面に当接させつつ、ニードル部１２の各ニードル片１２２により採取すべき毛髪が取り囲まれるように植毛用器具５０を位置決めする。
図５（ｂ）に示す突き刺し行程では、シャフト５２を矢印Ａで示す前進方向に押し込む。これにより、ニードル部１２は、頭皮内を進行しつつ、初期の縮径状態から徐々に拡径してく。そして、最終的に、ニードル部１２の突き刺し深さが最大許容深さに達したときに、ニードル部１２の先端部、即ち、各ニードル片１２２が最も拡径された状態となるとともに、フランジ部１１１に係合部５１４が係合して植毛用針部材１０の後退方向への移動が規制される。
【００１８】
図５（ｃ）に示す把持行程では、シャフト５２への押し込み力の入力を解除することにより、シャフト５２がリターンスプリング５４の付勢力により矢印Ｂで示す後退方向に移動する。このとき、後退方向への移動が規制されている植毛用針部材１０はその位置に留まり、シャフト５２のみが植毛用針部材１０に対して相対的に基端側に移動する。このとき、必要に応じて、中空のシャフト５２の基端部から内部の空気を吸引することにより、植毛用針部材１０の内部空間、特にはニードル部１２の内部空間を陰圧に維持するようにしてもよい。これにより、ニードル部１２の先端部が拡径状態から縮径状態に変化することに相俟って、頭皮組織と植皮片１００との繋がりをより断ち切りやすくすることができる。従って、頭皮組織から採取した植皮片１００をニードル部１２の先端部内に強固に把持することができる。
【００１９】
図５（ｄ）に示す引き抜き行程では、植毛用器具５０全体を後退方向に移動させて、ニードル部１２を頭皮から引き抜く。これにより、植皮片１００をニードル部１２の内部空間に収容した状態のまま、頭皮組織と植皮片１００との繋がりを完全に断つことができる。
【００２０】
このようにして、植皮片１００の採取行程が完了すると、引き続き、その採取した植皮片１００の移植行程に移行する。この移植行程において、まず、図５（ｅ）に示す突き刺し行程では、採取した植皮片１００を把持している植毛用器具５０を移植が必要な部位に突き刺す。
なお、この場合、植毛用針部材１０のフランジ部１１１に係合部５１４を係合させたまま、植皮片１００の移植行程を開始している。そのため、ニードル部１２は、すでにケース５１の先端部から最も飛び出した状態となっている。この場合、植毛用器具５０全体を、当接面５１３が頭皮に当接するまで前進方向に移動させることで、ニードル部１２を頭皮に突き刺すことができる。ただし、係合部５１４がフランジ部１１１に係合した係合状態を解除した状態で移植行程を開始するようにしてもよい。この場合には、移植片の採取行程と同様に、シャフト５２を前進方向に押し込みながら植毛用器具５０全体を前進方向に移動させることにより、ニードル部１２を頭皮に突き刺すことができる。
【００２１】
図５（ｆ）に示す植皮行程では、シャフト５２を前進方向に最大限変位させ、ニードル部１２の先端部が最も拡径された状態にする。このとき、必要に応じて、中空のシャフト５２の基端部から外部の空気を供給することにより、植毛用針部材１０の内部空間、特にはニードル部１２の内部空間を陽圧に維持するようにしてもよい。これにより、ニードル部１２の先端部に把持している植皮片１００を頭皮側に解放しやすくすることができる。
図５（ｇ）に示す引き抜き行程では、植毛用器具５０全体を、ニードル部１２が拡径した状態のまま後退方向に移動させて頭皮から引き抜く。これにより、ニードル部１２の内部空間に収容されていた植皮片１００が頭皮の必要箇所に移植される。
【００２２】
以上に説明したように本実施形態によれば、植毛用針部材１０において、スリット１２１は、筒状部１１を先端側に移動するシャフト１３，５２がニードル片１２２の内面に最初に当接する当接点Ｐ２よりも基端側に深く形成されている。これにより、スリット１２１の基端部分を支点Ｐ１とし、且つ、シャフト１３，５２とニードル片１２２との当接点Ｐ２を力点とした態様にてニードル片１２２が開くようになり、比較的小さな力でシャフト１３，５２を先端側に移動させることで、閉状態のニードル片１２２をスムーズに開くことができる。
【００２３】
また、スリット１２１は、その開口幅が基端側から先端側に向かって徐々に狭くなるように、しかも、各ニードル片１２２が最先端部にて相互に接触するように形成されているので、ニードル片１２２が閉じた状態においても各ニードル片１２２にはさらに閉じる方向の力が存在するようになり、これにより、ニードル部１２の先端部に植皮片１００を頭皮組織から切断するための強固な力を発生させることができ、また、採取した植皮片１００をニードル部１２の先端部にて強固に把持することができる。
【００２４】
植毛用器具５０は、リターンスプリング５４を備えているので、図５（ｂ）の突き刺し行程後にシャフト５２を開放するだけで、シャフト５２のみを第１フランジ部５２１がケース５１の基端壁５１５の内面に当接する位置まで自動的に移動させることができる。従って、術者は、植皮片１００の採取行程を行うとき、例えば片手だけで植毛用器具５０を操作することが可能であり、その操作性を一層向上することができる。
【００２５】
（第２実施形態）
次に、本発明の第２実施形態について図６および図７を参照しながら説明する。以下、上述の実施形態と異なる部分についてのみ説明する。図６に示すように、植毛用針部材２０のニードル部２２には、先端側から基端側に向かって軸方向に延びるスリット２２１が形成されており、このスリット２２１によって、ニードル部２２は複数のニードル片２２２に分割されている。この場合、各ニードル片２２２は、その先端部に刃先部２２３を有している。このスリット２２１は、その開口幅が基端側から先端側に向かって徐々に狭くなるように形成されており、これにより、基端側の開口幅Ｗ０が刃先部２２３の根本部分の開口幅Ｗ１よりも小さくなるようになっている。また、スリット２２１の刃先部２２３の根本部分の開口幅Ｗ１は、この場合、０ｍｍとなるように設定されており、これにより、複数のニードル片２２２が先端部の刃先部２２３を除く中間部分、この場合、刃先部２２３の根本部分から基端側に向かって軸方向に所定距離Ｄを有した部分において相互に接触するように構成されている。また、ニードル部２２の先端部、この場合、刃先部２２３の根本部分の開口幅Ｄ１は、採取対象である植皮片１００の幅Ｗ２よりも小さくなるように設定されている。
【００２６】
この構成の植毛用針部材２０において、図６（ａ）に示す初期状態からシャフト１３が筒状部１１を先端側に移動すると、図６（ｂ）に示すように、やがて当該シャフト１３の先端部がニードル片２２２の内面に当接する。そして、さらにシャフト１３がニードル片２２２の内面を摺動しながら先端側に移動することによって、図６（ｃ）に示すように、スリット２２１の基端部分を支点Ｐ１とし、且つ、シャフト１３とニードル片２２２との当接点Ｐ２を力点とした態様にて、各ニードル片２２２がそれぞれ径方向外側に撓んで開くようになっている。この場合、スリット２２１は、筒状部１１を先端側に移動するシャフト１３が最初にニードル片２２２の内面に当接する当接点Ｐ２、即ち、図６（ｂ）に示す状態における当接点Ｐ２よりも基端側に深く形成さている。
【００２７】
次に、上記構成の植毛用針部材２０の製造方法について図７を参照しながら説明する。この場合も、植毛用針部材２０は、いわゆる冷間鍛造加工により製造される。即ち、まず、図７（ａ）に示す例えばステンレスなどの金属材料からなる中空筒状のパイプ材２０１の先端部、つまり、植毛用針部材２０のニードル部２２となる部分を、図７（ｂ）に示すように、冷間鍛造加工により、先端側に向かって徐々に径方向寸法が小さくなるようにテーパ状に加工する。次に、図７（ｃ）に示すように、パイプ材２０１の先端側から冷間鍛造による未加工部分、つまり、植毛用針部材２０の筒状部１１となる部分の内部にわたる部分に、いわゆるワイヤ放電加工などにより、２つ以上のスリット２０２を先端側から基端側に向かって形成する。
【００２８】
ここで、このスリット２０２の形状について説明する。上述の実施形態では、パイプ材１０１の軸方向に沿う直線状のスリット１０２を形成したが、この実施形態では、いわゆるＹ字状のスリット２０２を形成する。即ち、スリット２０２は、この場合、軸方向に対して傾斜角度が異なる３つの領域からなる構成であり、先端側の領域、即ち、刃先部２２３に対応する領域の傾斜角度が最も大きく、先端部および基端部を除く中間部分、即ち、各ニードル片２２２が相互に接触する部分に対応する領域の傾斜角度が小さく、基端側の領域の傾斜角度が軸方向に一致する形状である。なお、パイプ材に、いわゆるＶ字状のスリット、換言すれば、軸方向に対して傾斜角度が異なる２つの領域からなるスリットを形成してもよい。
【００２９】
そして、このようにパイプ材２０１にスリット２０２が形成されると、冷間鍛造加工によりパイプ材２０１の先端側部分に発生している残留応力により、図７（ｄ）に示すように、スリット２０２によって分断された片部、つまり、植毛用針部材２０のニードル片２２２となる部分が径方向内側に閉じるように変形する。これにより、上記した植毛用針部材２０が製造される。
【００３０】
以上に説明した本実施形態の植毛用針部材２０よっても、スリット２２１がシャフト１３がニードル片２２２の内面に最初に当接する当接点Ｐ２よりも基端側に深く形成されているから、比較的小さな力でシャフト１３を先端側に移動させることで、閉状態のニードル片２２２をスムーズに開くことができる。
また、ニードル片２２２間に形成される隙間を小さくすることができ、ニードル部２２内を陰圧に維持する際に空気漏れを抑えることができる。また、ニードル部２２の先端部に形成された刃先部２２３によって、植毛用針部材２０の突き刺し抵抗を低減することができ、生体組織の採取時あるいは移植時において植毛用針部材２０を突き刺しやすくすることができる。
【００３１】
（第３実施形態）
以下、本発明の第３実施形態について図８を参照しながら説明する。以下、上述の実施形態と異なる部分についてのみ説明する。図８に示すように、植毛用針部材３０のニードル部３２には、先端側から基端側に向かって軸方向に延びるスリット３２１が形成されており、このスリット３２１によって、ニードル部３２は複数のニードル片３２２に分割されている。このスリット３２１は、上記したスリット１２１と概ね同様の形態であるが、その深さがスリット１２１とは異なっている。即ち、このスリット３２１は、筒状部１１を先端側に移動するシャフト３３の補助シャフト部３３２が最初にニードル片３２２の内面に当接する当接点Ｐ２１、即ち、図８（ｂ）に示す状態における当接点Ｐ２１よりも基端側に深く形成されているが、筒状部１１を先端側に移動するシャフト３３のシャフト本体部３３１が最初にニードル片３２２の内面に当接する当接点Ｐ２２、即ち、図８（ｂ）に示す状態における当接点Ｐ２２よりも先端側に浅く形成さている。
【００３２】
このようにスリット３２１の深さが短いニードル部３２においては、各ニードル片３２２のばね定数が強くなり、従って、各ニードル片３２２を撓ませて開くために、上述の実施形態の場合よりも大きな力が必要となる。そのため、この植毛用針部材３０については、上述のシャフト１３に代わるシャフト３３が使用される。このシャフト３３は、シャフト本体部３３１の先端部に、その径方向の寸法がシャフト本体部３３１よりも小さい補助シャフト部３３２を備えている点がシャフト１３とは異なっている。
【００３３】
この構成の植毛用針部材３０において、図８（ａ）に示す初期状態からシャフト３３が筒状部１１を先端側に移動すると、図８（ｂ）に示すように、やがて補助シャフト部３３２の先端部がニードル片３２２の内面に当接する。そして、さらにシャフト３３が先端側に移動すると、図８（ｃ）に示すように、さらにシャフト本体部３３１の先端部もニードル片３２２の内面に当接する。そして、さらにシャフト３３が先端側に移動することによって、スリット３２１の基端部分を支点Ｐ１とし、且つ、補助シャフト部３３２とニードル片３２２の内面との当接点Ｐ２１およびシャフト本体部３３１とニードル片３２２の内面との当接点Ｐ２２を力点とした態様にて、各ニードル片３２２がそれぞれ径方向外側に撓んで開くようになっている。即ち、各ニードル片３２２は、２つの力点からの作用を受けて径方向外側に開くようになる。
【００３４】
以上に説明した本実施形態の植毛用針部材３０によれば、スリット３２１の深さを短くしたことによって、ニードル部３２が採取部位から生体組織を切断する力および採取した生体組織を把持する力を大きくすることができる。この場合、各ニードル片３２２のばね定数が増加してしまうが、シャフト３３によって２つの力点により各ニードル片３２２を開く構成としたので、比較的小さな力でシャフト３３を先端側に移動させることで、閉状態のニードル片３２２をスムーズに開くことができる。
なお、本発明は、上述した各実施形態のみに限定されるものではなく、その要旨を逸脱しない範囲で種々の実施形態に適用可能である。また、上述した各実施形態を組み合わせて実施してもよい。
【符号の説明】
【００３５】
図面中、１０，２０，３０は植毛用針部材、１１は筒状部、１２，２２，３２はニードル部、１２１，２２１，３２１はスリット、１２２，２２２，３２２はニードル片、１３，５２，３３はシャフトを示す。
【図１】
2013179951.tif 000003
【図２】
2013179951.tif 000004
【図３】
2013179951.tif 000005
【図４】
2013179951.tif 000006
【図５】
2013179951.tif 000007
【図６】
2013179951.tif 000008
【図７】
2013179951.tif 000009
【図８】
2013179951.tif 000010